(57)【要約】【課題】小さなスペースで外付けサッシの取り付けを可能にする。【解決手段】既設サッシの室外側に取り付ける外付けサッシ１３０は、支持枠１３１と、支持枠１３１の左右両側及び上側に取り付けられた断面がコの字状の３個の第一補助部材１１０と、支持枠１３１の下側に取り付けられた１個の第二補助部材１２０と、から構成されている。既設サッシのサッシ枠を構成する上枠１０１、下枠１０２、右枠１０３及び左枠１０４のうち、上枠、右枠及び左枠に第一補助部材をそれぞれ嵌め込み、平坦面１１１を構成し、下枠に、下枠に形成されていたレール１０６よりも低くない高さを有する第二補助部材を取り付ける。【選択図】図１
2008095357.tif 000002
【特許請求の範囲】
【請求項１】
既設サッシの室外側に前記既設サッシに代えて取り付けられる外付けサッシであって、
サッシ構造を有する支持枠と、
前記支持枠に取り付けられる第一補助部材及び第二補助部材の少なくとも何れか一方と、からなり、
前記第一補助部材は、前記既設サッシのサッシ枠を構成する上枠、下枠、右枠及び左枠のうち、前記上枠、前記右枠及び前記左枠に嵌め込まれて平坦面を構成し、コの字状の断面を有しており、
前記第二補助部材は、前記下枠に取り付けられ、前記下枠に形成されていたレールよりも低くない高さを有しているものである外付けサッシ。
【請求項２】
前記第一補助部材は、前記上枠、前記右枠及び前記左枠の少なくとも何れか一つに嵌め込まれたときに、側面が室内側から見えるものであることを特徴とする請求項１に記載の外付けサッシ。
【請求項３】
前記第一補助部材には、前記平坦面から外側に向かって突出する突出部が形成されており、室内側から見て、前記突出部により、前記第一補助部材と前記支持枠との接続領域が覆われるものであることを特徴とする請求項１に記載の外付けサッシ。
【請求項４】
前記第一補助部材は前記支持枠に対して取り外し可能に取り付けられていることを特徴とする請求項１乃至３の何れか一項に記載の外付けサッシ。
【請求項５】
前記第一補助部材は前記支持枠と一体成形されていることを特徴とする請求項１乃至３の何れか一項に記載の外付けサッシ。
【請求項６】
前記第一補助部材はアルミニウムからなり、その表面には樹脂がコーティングされているものであることを特徴とする請求項１乃至５の何れか一項に記載の外付けサッシ。
【請求項７】
前記第一補助部材の内側表面には断熱兼防水材が設けられていることを特徴とする請求項１乃至６の何れか一項に記載の外付けサッシ。
【発明の詳細な説明】
【技術分野】
【０００１】
本発明は、既設サッシ（例えば、一重サッシ）の外側に、当該既設サッシに代えて新たに取り付けられる外付けサッシ（例えば、二重サッシ）に関する。
【背景技術】
【０００２】
近年、遮音や気密性維持のために窓をサッシ構造とすることが増えている。
【０００３】
サッシを、例えば、防音サッシとして使用する場合には、予め周囲の騒音を測定したうえで、その騒音を遮蔽できるようなサッシが選定される。
【０００４】
しかしながら、一旦サッシを設置した後に、周囲の環境が変化したような場合、すなわち、交通量の増加や道路（特に、高速道路）の新規建設に伴い騒音が増加するような場合であっても、一旦設置したサッシを新しいサッシに交換することは、従来は極めて困難であった。
【０００５】
このため、特許文献１は、そのような環境変化に対応するための方策として、既設サッシの外側に新しいサッシを増設する方法を提案している。
【特許文献１】特開２００２−１０６２６１号公報
【発明の開示】
【発明が解決しようとする課題】
【０００６】
しかしながら、特許文献１に記載された方法は、既設サッシをそのまま設置しておいた状態で新たなサッシを増設するものであるため、既設サッシの室外側にかなりのスペースを必要とするものであり、スペースに制約がある場合には、新たなサッシを増設することが不可能になることもあった。
【０００７】
本発明はこのような問題点に鑑みてなされたものであり、新たなサッシを増設する場合に、新たなサッシの増設に必要なスペースを最小限に外付けサッシを提供することを目的とする。
【課題を解決するための手段】
【０００８】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【０００９】
上記の目的を達成するため、本発明は、既設サッシの室外側に前記既設サッシに代えて取り付けられる外付けサッシ（１３０）であって、サッシ構造を有する支持枠（１３１）と、前記支持枠（１３１）に取り付けられる第一補助部材（１１０）及び第二補助部材（１２０）の少なくとも何れか一方と、からなり、前記第一補助部材（１１０）は、前記既設サッシのサッシ枠を構成する上枠（１０１）、下枠（１０２）、右枠（１０３）及び左枠（１０４）のうち、前記上枠（１０１）、前記右枠（１０３）及び前記左枠（１０４）に嵌め込まれて平坦面（１１１）を構成し、コの字状の断面を有しており、前記第二補助部材（１２０）は、前記下枠（１０２）に取り付けられ、前記下枠（１０２）に形成されていたレールよりも低くない高さを有しているものである外付けサッシ（１３０）を提供する。
【００１０】
前記第一補助部材（１１０）は、前記上枠（１０１）、前記右枠（１０３）及び前記左枠（１０４）の少なくとも何れか一つに嵌め込まれたときに、側面が室内側から見えるものであることが好ましい。
【００１１】
前記第一補助部材（１１０）には、前記平坦面（１１１）から外側に向かって突出する突出部（１５０）が形成されており、室内側から見て、前記突出部（１５０）により、前記第一補助部材（１１０）と前記支持枠（１３１）との接続領域が覆われるものであることが好ましい。
【００１２】
前記第一補助部材（１１０）は前記支持枠（１３１）に対して取り外し可能に取り付けられていることが好ましい。
【００１３】
前記第一補助部材（１１０）は前記支持枠（１３１）と一体成形されていることが好ましい。
【００１４】
前記第一補助部材（１１０）はアルミニウムからなり、その表面には樹脂がコーティング（１５１）されているものであることが好ましい。
【００１５】
前記第一補助部材（１１０）の内側表面には断熱兼防水材（１５２）が設けられていることが好ましい。
【発明の効果】
【００１６】
本発明に係る外付けサッシを用いることにより、例えば、一重サッシを容易に二重サッシに交換することが可能である。この際、既設サッシを取り外したうえで、本発明に係る外付けサッシを取り付けるため、必要以上に大きなスペースを占有する必要がなく、サッシの取り付け領域をコンパクトにすることができる。
【００１７】
さらに、第一補助部材に突出部を形成することにより、第一補助部材と外付けサッシの支持枠との接続領域が覆われることとなるため、支持枠と上枠との間に生じた隙間も突出部により覆われることになり、室内側からは隙間は見えなくなる。
【発明を実施するための最良の形態】
【００１８】
［第一の実施形態］
図１は、本発明の第一の実施形態に係る外付けサッシ１３０を取り付けた状態の縦断面図であり、図２は、本発明の第一の実施形態に係る外付けサッシ１３０を取り付けた状態の横断面図である。
【００１９】
本実施形態に係る外付けサッシ１３０を取り付ける際には、既設サッシは取り外され、既設サッシの室外側に本実施形態に係る外付けサッシ１３０が取り付けられる。
【００２０】
図１に示すように、取り外された既設サッシ（図示せず）のサッシ枠を構成する上枠１０１、下枠１０２、右枠１０３（図２参照）及び左枠１０４（図２参照）のうち、上枠１０１及び下枠１０２に形成されたサッシ用レール１０５、１０６が水平方向に延びており、さらに、右枠１０３及び左枠１０４に形成されたサッシの位置決め部材１０７、１０８が垂直方向に延びている。
【００２１】
本実施形態に係る外付けサッシ１３０は、支持枠１３１と、支持枠１３１の左右両側及び上側に取り付けられた断面がコの字状の３個の第一補助部材１１０と、支持枠１３１の下側に取り付けられた１個の第二補助部材１２０と、から構成されている。
【００２２】
支持枠１３１は既に窓ガラスが嵌め込まれているサッシ構造を有している。支持枠１３１としては、例えば、市販のサッシを用いることができる。本実施形態に係る外付けサッシ１３０は、上述のように、この支持枠１３１に第一補助部材１１０と第二補助部材１２０とを取り付けたものである。
【００２３】
図１及び図２に示すように、第一補助部材１１０の各々は上枠１０１、右枠１０３及び左枠１０４にそれぞれ嵌め込まれる。
【００２４】
図３は、第一補助部材１１０のみを示した斜視図である。
【００２５】
図３に示すように、第一補助部材１１０は、平坦面１１１と、平坦面１１１の両端から平坦面１１１に垂直に延びた側面１１２と、からなり、縦断面（長手方向と直交する断面）は「コ」の字の形状をなしている。
【００２６】
各側面１１２には、ネジ溝が切られている複数個のネジ孔１１３が一直線状に配列されており、上枠１０１、右枠１０３及び左枠１０４に第一補助部材１１０を嵌め込んだ後、第一補助部材１１０は上枠１０１、右枠１０３及び左枠１０４の外側からネジ１１５で固定される。
【００２７】
また、平坦面１１１には、ネジ溝が切られている複数個のネジ孔１１４が長手方向に一直線上に形成されている。ネジ孔１１４は第一補助部材１１０の中心線よりも室外側に近い位置に設けられている。
【００２８】
なお、右枠１０３及び左枠１０４に取り付けられる第一補助部材１１０にはネジ孔１１４は必ず設けられていることが必要であるが、上枠１０１に取り付けられる第一補助部材１１０にはネジ孔１１４は必ずしも設けられている必要はない。
【００２９】
第一補助部材１１０を上枠１０１、右枠１０３及び左枠１０４に嵌め込むことにより、サッシ用レール１０５及び位置決め部材１０７、１０８は第一補助部材１１０の内部に隠れることになり、第一補助部材１１０の平坦面１１１のみが現われる。
【００３０】
さらに、下枠１０２には、下枠１０２に形成されていたレール１０６よりも高い第二補助部材１２０が取り付けられる。
【００３１】
図４は、第二補助部材１２０のみを示した斜視図である。
【００３２】
図４に示すように、第二補助部材１２０は、底面１２１と、底面１２１の一端から底面１２１に垂直に延びた側面１２２と、からなり、全体的には、「Ｌ」字型をなしている。
【００３３】
底面１２１には複数個の貫通孔１２３が一直線上に形成され、同様に、側面１２２にも複数個の貫通孔１２４が一直線上に形成されている。
【００３４】
第二補助部材１２０は、ネジ１２５を貫通孔１２３を介して下枠１０２にネジ止めすることにより、下枠１０２に対して固定される。
【００３５】
図４に示すように、第二補助部材１２０を下枠１０２の底面に固定した状態においては、側面１２２は下枠１０２に形成されているレール１０６よりも高くなるような高さを有している。
【００３６】
以上のように、第一補助部材１１０の各々を上枠１０１、右枠１０３及び左枠１０４に対して固定し、さらに、第二補助部材１２０を下枠１０２に対して固定することにより、本実施形態に係る外付けサッシ１３０が所定の位置に固定される。
【００３７】
図５は、本実施形態に係る外付けサッシ１３０を取り付けるための各工程を示すフローチャートである。
【００３８】
まず、窓から既設サッシ（図示せず）を取り外す（ステップＳ１０１）。
【００３９】
次いで、本実施形態に係る外付けサッシ１３０の第一補助部材１１０の各々を上枠１０１、右枠１０３及び左枠１０４に嵌め込み、ネジ１１５を介して固定する（ステップＳ１０２）。この結果、上枠１０１、右枠１０３及び左枠１０４には、第一補助部材１１０の平坦面１１１のみが現われる。
【００４０】
次いで、第二補助部材１２０を下枠１０２にネジ１２５を介して固定する（ステップＳ１０３）。
【００４１】
なお、第一補助部材１１０の取り付け（ステップＳ１０２）と第二補助部材１２０の取り付け（ステップＳ１０３）の順序はこの順序に限定されるものではなく、逆になってもよい。
【００４２】
これにより、外付けサッシ１３０は、既に取り外した既設サッシの室外側において、取り付けられる（ステップＳ１０４）。
【００４３】
なお、外付けサッシ１３０のサイズは既設サッシのサイズよりも小さい。
【００４４】
以上のように、本実施形態に係る外付けサッシ１３０によれば、例えば、一重サッシを容易に二重サッシに交換することが可能である。この際、既設サッシを取り外したうえで、外付けサッシ１３０を取り付けるため、必要以上に大きなスペースを占有する必要がなく、サッシの取り付け領域をコンパクトにすることができる。
【００４５】
なお、本実施形態に係る外付けサッシ１３０は以上のような構成に限定されるものではなく、種々の改変が可能である。以下、その例を説明する。
【００４６】
例えば、図１及び図２に示すように、第一補助部材１１０を上枠１０１、右枠１０３及び左枠１０４に嵌め込む前に、上枠１０１のレール１０５の間に形成されているスペースや、右枠１０３及び左枠１０４の位置決め部材１０７、１０８により形成されているスペースには断熱材１４０を埋め込むことができる。第一補助部材１１０は断熱材１４０を埋め込んだ後に、上枠１０１、右枠１０３及び左枠１０４に嵌め込まれる。
【００４７】
このように、上枠１０１、右枠１０３及び左枠１０４に断熱材１４０を埋め込むことにより、室外側に対する室内側の断熱性能を高めることができる。
【００４８】
この断熱材１４０は予め第一補助部材１１０の内部に、例えば、接着させておくことが可能である。
【００４９】
なお、断熱材１４０は上枠１０１、右枠１０３及び左枠１０４の全てに埋め込むことは必ずしも必要ではなく、何れか一つまたは二つに埋め込むことも可能である。
【００５０】
また、断熱材１４０は下枠１０２の内部に埋め込むことも可能である。
【００５１】
また、図１及び図２に示すように、第一補助部材１１０を上枠１０１、右枠１０３及び左枠１０４に嵌め込んだ後に、第一補助部材１１０と上枠１０１、右枠１０３及び左枠１０４との接続領域を隠す化粧板１４１を室内側から取り付けることも可能である。
【００５２】
化粧板１４１は、例えば、外付けサッシ１３０の支持枠１３１に対してネジ止めすることにより、取り付けることができる。あるいは、化粧板１４１は第一補助部材１１０に対して固定することも可能である。
【００５３】
このように化粧板１４１を取り付けることにより、外付けサッシ１３０の室内側からの外観を向上させることができる。化粧板１４１は予め第一補助部材１１０に取り付けておくことも可能である。
【００５４】
また、外付けサッシ１３０の支持枠１３１と第一補助部材１１０との接続領域をシールする防水シール１４２を室外側から取り付けることも可能である。
【００５５】
なお、第二補助部材１２０は室外側には露出しないので、下枠１０２に関しては、防水シール１４２は外付けサッシ１３０の支持枠１３１に対して直接取り付けられる。
【００５６】
防水シール１４２は、例えば、ネジ１４３を介して上枠１０１、右枠１０３及び左枠１０４に取り付けられる。あるいは、防水シール１４２は外付けサッシ１３０の支持枠１３１に取り付けることも可能である。
【００５７】
防水シール１４２を取り付けることにより、雨その他の水分が室外側から室内側に侵入することを防止することができる。
【００５８】
第一補助部材１１０及び第二補助部材１２０は、例えば、支持枠１３１とともに一体成形することが可能である。
【００５９】
あるいは、第一補助部材１１０及び第二補助部材１２０を予め別途作成しておき、溶接その他の手段により、支持枠１３１に固定することも可能である。
【００６０】
また、第一補助部材１１０及び第二補助部材１２０は支持枠１３１に対して取り外し可能に取り付けることも可能である。例えば、第一補助部材１１０及び第二補助部材１２０を予め別途作成しておき、ネジ及びボルトを用いて、第一補助部材１１０及び第二補助部材１２０を支持枠１３１に取り付けることも可能である。
【００６１】
例えば、ネジ及びボルトを用いて、第一補助部材１１０を支持枠１３１に取り付ける場合には、ネジ孔１１４（図３参照）を用いる。すなわち、第一補助部材１１０は、ネジ１２６を第一補助部材１１０の平坦面１１１に設けられたネジ孔１１４にネジ止めすることにより、支持枠１３１に対して固定される。
【００６２】
さらに、支持枠１３１は、その下部において、ネジ１２７を第二補助部材１２０の側面１２２に設けられた貫通孔１２４（図４参照）に通し、さらに、支持枠１３１に形成されたネジ孔（図示せず）にネジ止めすることにより、第二補助部材１２０に対して固定される。
【００６３】
さらに、本実施形態に係る外付けサッシ１３０は第一補助部材１１０及び第二補助部材１２０の双方を有しているが、必要に応じて、第一補助部材１１０及び第二補助部材１２０の何れか一方のみを有する構造とすることもできる。
【００６４】
［第二の実施形態］
図６は、本発明の第二の実施形態に係る外付けサッシ１３０を取り付けた状態の縦断面図であり、図７は、本発明の第二の実施形態に係る外付けサッシ１３０を取り付けた状態の横断面図である。
【００６５】
本実施形態においては、図７に示すように、既設サッシの右枠１０３及び左枠１０４の形状が第一の実施形態における右枠１０３及び左枠１０４の形状（図２参照）とは異なっている。すなわち、本実施形態における右枠１０３及び左枠１０４は、第一の実施形態における右枠１０３及び左枠１０４とは異なり、その一部に、突出した平坦面１０３Ａ、１０４Ａを構成している。
【００６６】
このため、右枠１０３に嵌め込まれる第一補助部材１１０Ａの幅（長手方向に直交する方向の長さ）が第一の実施形態における第一補助部材１１０の幅よりも短くなっている。第一補助部材１１０Ａが右枠１０３に嵌め込まれたときに、第一補助部材１１０Ａの平坦面１１１は右枠１０３の平坦面１０３Ａと同一平面をなし、一体となって、平坦面を構成する。
【００６７】
なお、必ずしも第一補助部材１１０Ａを使用する必要はなく、左枠１０４のように、第一の実施形態における第一補助部材１１０を選択することも可能である。
【００６８】
すなわち、右枠１０３及び左枠１０４がその一部に突出した平坦面１０３Ａ、１０４Ａを構成している場合には、第一補助部材１１０Ａ及び第一補助部材１１０の何れをも用いることが可能である。
【００６９】
ただし、第一補助部材１１０を用いる場合には、図７に示すように、突出した平坦面１０４Ａとの抵触を避けるため、「コ」の字型断面ではなく、「Ｌ」字型断面のものを用いることが必要になる。
【００７０】
さらに、図６に示すように、本実施形態に係る外付けサッシ１３０における第二補助部材１２０Ａは第一の実施形態における第二補助部材１２０と形状が異なっている。具体的には、第一の実施形態における第二補助部材１２０の側面１２２は下枠１０２に形成されたレール１０６よりも高くなるように形成されていたが、本実施形態における第二補助部材１２０Ａの側面１２２は下枠１０２に形成されたレール１０６とほぼ同じ高さになるように形成されている。
【００７１】
このように、第二補助部材１２０Ａは、下枠１０２に形成されたレール１０６よりも低くない側面１２２を有するものであればよい。
【００７２】
なお、本実施形態に係る外付けサッシ１３０は断熱材１４０が設けられていない例である。
【００７３】
［第三の実施形態］
図８は、本発明の第三の実施形態に係る外付けサッシ１３０を取り付けた状態の縦断面図である。
【００７４】
本実施形態においては、図８に示すように、下枠１０２の一対のレール１０６ａ、１０６ｂが同じ高さにはなく、一方１０６ａが他方１０６ｂよりも高い位置に配置されている。このため、本実施形態における第二補助部材１２０Ａは、高い方のレール１０６ａと並列に取り付けられており、第二補助部材１２０Ａの側面１２２はレール１０６ａと同じ高さに設定されている。
【００７５】
このように、下枠１０２のレールの高さが異なる場合には、高い方のレールに合わせて第二補助部材１２０Ａが取り付けられる。
【００７６】
［第四の実施形態］
上述の第一乃至第三の実施形態に係る外付けサッシ１３０においては、第一補助部材１１０は上枠１０１、右枠１０３及び左枠１０４の内部に嵌め込まれていた。
【００７７】
すなわち、具体的には、図９に示すように、第一補助部材１１０は、その両側面１１２が上枠１０１の内壁に接するようにして、上枠１０１４の内部に嵌め込まれていた（右枠１０３及び左枠１０４についても同様である）。
【００７８】
図１０は、本発明の第四の実施形態に係る外付けサッシ１３０における第一補助部材１１０と上枠１０１との位置関係を示す断面図である。
【００７９】
本実施形態においては、第一補助部材１１０は、両側面１１２のうちの室内側の側面１１２ａが上枠１０１の外壁に接するように、すなわち、側面１１２ａが室内側から見えるようにして、上枠１０１の内部に嵌め込まれる。
【００８０】
このように、第一補助部材１１０の側面１１２ａが室内側から見えるように上枠１０１に嵌め込まれることにより、第一補助部材１１０の側面１１２ａの表面を化粧板として加工しておけば、第一の実施形態における化粧板１４１を使用する必要がなくなり、工程数の削減及び部品数の低減を図ることができる。
【００８１】
図１０は上枠１０１について示したが、右枠１０３及び左枠１０４についても同様である。なお、上枠１０１、右枠１０３及び左枠１０４の全てについて第一補助部材１１０を本実施形態のように嵌め込む必要はなく、上枠１０１、右枠１０３及び左枠１０４のうち少なくとも何れか一つについて行うことが可能である。
【００８２】
［第五の実施形態］
経年変化、気候の変化あるいは既存のサッシの歪みなどに起因して、外付けサッシ１３０の支持枠１３１と上枠１０１、右枠１０３及び左枠１０４との間に隙間が生じることがある。
【００８３】
図１１は外付けサッシ１３０の支持枠１３１が歪んだ状況を示す概略図である。
【００８４】
図１１に示すように、経年変化、気候の変化あるいは既存のサッシの歪みなどに起因して、外付けサッシ１３０の支持枠１３１それ自体が歪み、支持枠１３１と上枠１０１、右枠１０３及び左枠１０４との間に隙間１０１Ａ、１０３Ａ、１０４Ａが生じる。このため、隙間１０１Ａ、１０３Ａ、１０４Ａを介して室内から室外が見えることになり、住環境を損なう一因となる。
【００８５】
本発明の第五の実施形態に係る外付けサッシ１３０においては、このような問題を解決するため、第一補助部材１１０の構造を変更する。
【００８６】
図１２は、本実施形態に係る外付けサッシ１３０における第一補助部材１１０を上枠１０１に取り付けた状態を示す部分的な断面図である。
【００８７】
図１２に示すように、本実施形態における第一補助部材１１０には、平坦面１１１から外側（図１２においては下枠１０２の方向）に向かって突出する突出部１５０が形成されている。
【００８８】
突出部１５０は平坦面１１１の一部を外側に向かって矩形状に膨らませた形状をなしている。
【００８９】
この突出部１５０により、第一補助部材１１０と支持枠１３１との接続領域が覆われることとなる。このため、支持枠１３１と上枠１０１との間の隙間１０１Ａも突出部１５０により覆われることになり、室内側からは隙間１０１Ａは見えなくなる。
【００９０】
なお、突出部１５０の形状は図１２に示したものに限定されるものではなく、種々の形状をとり得る。
【００９１】
図１３は、第一の変形例に係る突出部１５０を有する第一補助部材１１０を上枠１０１に取り付けた状態を示す部分的な断面図である。
【００９２】
図１３に示すように、突出部１５０は第一補助部材１１０の平坦面１１１から外側に突出する板状の部材として形成することも可能である。本変形例に係る突出部１５０は平坦面１１１のほぼ中央から突出している。
【００９３】
本変形例に係る板状の突出部１５０は、例えば、溶接により、第一補助部材１１０の平坦面１１１に取り付けられる。
【００９４】
図１４は、第二の変形例に係る突出部１５０を有する第一補助部材１１０を上枠１０１に取り付けた状態を示す部分的な断面図である。
【００９５】
本変形例に係る突出部１５０も、第一の変形例と同様に、板状の部材として第一補助部材１１０の平坦面１１１から外側に突出して形成されている。ただし、第一の変形例とは異なり、本変形例においては、突出部１５０は第一補助部材１１０の室内側の端部に位置している。
【００９６】
図１３及び図１４に示した二つの変形例によっても、図１２に示した突出部１５０と同様の効果を得ることができる。
【００９７】
なお、第一補助部材１１０は、耐腐食性、軽量性及び加工の容易性を考慮して、アルミニウムでつくることが好ましい。
【００９８】
さらに、図１５に示すように、第一補助部材１１０の外側表面に樹脂のコーティング１５１を施すことが好ましい。コーティング１５１を施すことにより、第一補助部材１１０の外観を向上させるとともに、第一補助部材１１０の腐食性を向上させることができる。また、第一補助部材１１０にコーティング１５１を施すことにより、図１１に示した隙間１０１Ａ、１０３Ａ、１０４Ａを塞ぐ機能を向上させることができるので、室内側の断熱性能を上げることができる。
【００９９】
また、図１６に示すように、第一補助部材１１０の内壁の一部に断熱兼防水材１５２を設けておくこともできる。断熱兼防水材１５２を設けることにより、外付けサッシ１３０の室内側と室外側との間の断熱性及び防水性を高めることができる。
【０１００】
例えば、第一補助部材１１０の外側表面に樹脂のコーティング１５１を施し、さらに、第一補助部材１１０の内壁の一部に断熱兼防水材１５２を設けることもできる。
【０１０１】
なお、本実施形態に係る外付けサッシ１３０においては、第一補助部材１１０はネジ１１５を介して支持枠１３１に取り付けられているが、第一補助部材１１０を支持枠１３１と一体成形してもよく、あるいは、第一補助部材１１０を支持枠１３１に対して溶接その他の手段により固定することも可能である。
【図面の簡単な説明】
【０１０２】
【図１】本発明の第一の実施形態に係る外付けサッシを取り付けた状態の縦断面図である。
【図２】本発明の第一の実施形態に係る外付けサッシを取り付けた状態の横断面図である。
【図３】本発明の第一の実施形態に係る外付けサッシにおける第一補助部材の斜視図である。
【図４】本発明の第一の実施形態に係る外付けサッシにおける第二補助部材の斜視図である。
【図５】本発明の第一の実施形態に係る外付けサッシを取り付ける際の各工程を示すフローチャートである。
【図６】本発明の第二の実施形態に係る外付けサッシを取り付けた状態の縦断面図である。
【図７】本発明の第二の実施形態に係る外付けサッシを取り付けた状態の横断面図である。
【図８】本発明の第三の実施形態に係る外付けサッシを取り付けた状態の縦断面図である。
【図９】本発明の第一乃至第三の実施形態における第一補助部材と上枠との位置関係を示す断面図である。
【図１０】本発明の第四の実施形態に係る外付けサッシにおける第一補助部材と上枠との位置関係を示す断面図である。
【図１１】外付けサッシの支持枠が歪んだ状況を示す概略図である。
【図１２】本発明の第五の実施形態に係る外付けサッシにおける第一補助部材を上枠に取り付けた状態を示す部分的な断面図である。
【図１３】第一の変形例に係る突出部を有する第一補助部材を上枠に取り付けた状態を示す部分的な断面図である。
【図１４】第二の変形例に係る突出部を有する第一補助部材を上枠に取り付けた状態を示す部分的な断面図である。
【図１５】表面にコーティングを施した第一補助部材の断面図である。
【図１６】断熱兼防水材を有する第一補助部材の断面図である。
【符号の説明】
【０１０３】
１０１  上枠
１０２  下枠
１０３  右枠
１０４  左枠
１０５、１０６  サッシ用レール
１０７、１０８  位置決め部材
１１０  第一補助部材
１１１  平坦面
１１２  側面
１１２ａ  室内側の側面
１１３、１１４  ネジ孔
１１５  ネジ
１２０  第二補助部材
１２１  底面
１２２  側面
１２３、１２４  貫通孔
１２５、１２７  ネジ
１３０  本発明の各実施形態に係る外付けサッシ
１３１  支持枠
１４０  断熱材
１４１  化粧板
１４２  防水シール
１５０  突出部
１５１  コーティング
【図１】
2008095357.tif 000003
【図２】
2008095357.tif 000004
【図３】
2008095357.tif 000005
【図４】
2008095357.tif 000006
【図５】
2008095357.tif 000007
【図６】
2008095357.tif 000008
【図７】
2008095357.tif 000009
【図８】
2008095357.tif 000010
【図９】
2008095357.tif 000011
【図１０】
2008095357.tif 000012
【図１１】
2008095357.tif 000013
【図１２】
2008095357.tif 000014
【図１３】
2008095357.tif 000015
【図１４】
2008095357.tif 000016
【図１５】
2008095357.tif 000017
【図１６】
2008095357.tif 000018